(57)【要約】【課題】簡単な構成の防水床構造を提供する。【解決手段】床面Ｆに防水床材１０を設置し、下地壁面Ｗと防水床材Ｆとの間に両者の隙間を覆う防水材５を配置する。防水材上端部５ｂは下地壁面Ｗと壁仕上げ材２との間に挟んで取り付け、防水材下端部５ａは防水床材１０の内側領域に位置させる。室内で使用した水や下地壁面Ｗと壁仕上げ材３との間で発生した水を防水床材１０上へ導いて、防水床材１０の下方空間へ浸入するのを阻止できる。下地壁面Ｗと壁仕上げ材３との間に隙間を形成しない構成を採用できるから、施工する浴室Ｙの空間容積を大きく設定できる。防水材５の下端部の長さを十分に確保しておけば、寸法の小さい防水床材１０でも下地壁面Ｗと防水床材１０との隙間を覆って防水機能を確保出来る。寸法の小さい防水床材１０を使用しても壁仕上げ材３の位置を変更する必要がないから、部屋容積は縮小されない。【選択図】      図１
2005240335.tif 000002
【特許請求の範囲】
【請求項１】
下地壁面で囲まれた空間内に構築される部屋における床の構造であって、前記空間の床面に防水床材が設置され、当該防水床材は平坦部とその周囲に立設した起立部とを有し、前記下地壁面と防水床材との間に両者の隙間を覆う防水材が配置され、当該防水材の上端部は前記下地壁面とその表面に装着した壁仕上げ材との間に挟まれて取り付けられ、当該防水材の下端部は前記防水床材の内側領域に位置させたことを特徴とする防水床構造。
【請求項２】
前記防水材に前記防水床材に向かう下り勾配を有する部分が形成され、当該防水材の下端部が、前記防水床材の起立部の上端部よりも下方に位置するように設定されている請求項１に記載の防水床構造。
【請求項３】
前記防水床材の起立部に、前記防水材の下端側部分を重ね合わせる領域が設けられている請求項１に記載の防水床構造。
【請求項４】
前記防水床材の起立部に設けられる前記防水材の下端側部分を重ね合わせる領域は、前記起立部に形成した前記下地壁面へ向かって昇り勾配を有する傾斜面部である請求項３に記載の防水床構造。
【請求項５】
前記防水床材の起立部に設けられる前記防水材の下端側部分を重ね合わせる領域は、前記起立部の上端部に形成した外方へ延びる水平面部である請求項３に記載の防水床構造。
【請求項６】
前記防水床材の大きさは、床に設置した時に、起立部と前記下地壁面との間に配管等の器具設置用空間が形成されるように設定されている請求項１乃至５のいずれかに記載の防水床構造。
【請求項７】
下地壁面で囲まれた空間内に構築される部屋における床の構造であって、前記空間の床面に防水床材が設置され、当該防水床材は周縁部の近傍に凹溝が形成され、前記下地壁面と防水床材との間に両者の隙間を覆う防水材が配置され、当該防水材の上端部は前記下地壁面とその表面に装着した壁仕上げ材との間に挟まれて取り付けられ、当該防水材の下端部は、前記防水床材の凹溝内へ挿入されて取り付けられていることを特徴とする防水床構造。
【発明の詳細な説明】
【技術分野】
【０００１】
本発明は、浴室やシャワー室など、湯水を使用する部屋の床構造に関する。
【背景技術】
【０００２】
躯体壁や下地材から成る下地壁面によって囲まれた部屋内に浴室を施工するにあたり、基礎等の床面上に防水パン等の防水床材を設置して浴室床を構築し、下地壁面に壁パネル等の壁仕上げ材を装着して浴室壁を構築する手法を採用することがある。この場合、下地壁面と防水床材との間に不可避的に生じる隙間をどのように処理するかが、防水構造上、非常に重要である。特許文献１では、部屋の内寸法に合わせて切断し寸法調整したバス床本体（床材）を床下地の上に設置し、このバス床本体の端縁部に壁下地に沿って防水巾木を固定する。そして壁パネルを、防水巾木の上部に設けた挿入凹所に挿入して壁下地に取り付ける。またバス床本体と防水巾木との間に、防水パテを充填する、という浴室の床構造が提案されている。
【特許文献１】実開昭６０−１７２９０３号公報
【発明の開示】
【発明が解決しようとする課題】
【０００３】
特許文献１に記載される浴室の床構造は、壁下地と、床を構成するバス床本体との間の隙間を閉塞するために、防水巾木を用いている。防水巾木は構造が複雑な部材なので、施工コストを増大させる。また、浴室を施工しようとする部屋の内寸法に合わせてバス床本体を切断したり、防水巾木をバス床本体に固定する作業に手間を要するので、施工能率があまり良いとは言えない。さらに、バス床本体と防水巾木との間の防水性能は、施工現場における防水パテの充填作業の仕上がり具合による。つまり、作業者の熟練度に依存するところが大きいから、防水性能が必ずしも保証されないという欠点があった。
【課題を解決するための手段】
【０００４】
前記従来の問題点に鑑み、本発明が採用する防水床構造の特徴とするところは、下地壁面で囲まれた空間内に構築される部屋における床の構造であって、前記空間の床面に防水床材が設置され、当該防水床材は平坦部とその周囲に立設した起立部とを有し、前記下地壁面と防水床材との間に両者の隙間を覆う防水材が配置され、当該防水材の上端部は前記下地壁面とその表面に装着した壁仕上げ材との間に挟まれて取り付けられ、当該防水材の下端部は前記防水床材の内側領域に位置させたことである。
【０００５】
本発明は、土間や基礎等の床の周囲が、躯体壁や壁下地材などから成る下地壁面によって囲まれた部屋に、浴室やシャワー室を施工する場合の床構造に適用されるものである。防水床材は、ＦＲＰ製の防水パンが代表的であるが、金属製・合成樹脂製の床材も採用可能である。防水材は、金属板・合成樹脂板・合成樹脂シートなど、比較的厚みが薄く、強度と耐水性に優れ、透水性・吸水性を持たず、好ましくは撥水性を有する部材で製作される。防水材を、下地壁面及び防水床材に取り付ける手段には、接着剤や、接着性を有する自己融着性防水テープなどを用いるのが簡便である。壁仕上げ材としては、タイルパネル・金属パネル・合成樹脂パネル・ＦＲＰパネルなどが挙げられる。
【０００６】
前述の防水床構造において、前記防水材に前記防水床材に向かう下り勾配を有する部分を形成し、当該防水材の下端部が、前記防水床材の起立部の上端部よりも下方に位置するように設定することが好ましい。
【０００７】
また、前記防水床材の起立部に、前記防水材の下端側部分を重ね合わせる領域を設けることができる。この場合、前記防水床材の起立部に設けられる前記防水材の下端側部分を重ね合わせる領域を、前記起立部に形成した前記下地壁面へ向かって昇り勾配を有する傾斜面部とするか、あるいは、前記起立部の上端部に形成した外方へ延びる水平面部とすることが考えられる。
【０００８】
なお本発明に係る防水床構造において、前記防水床材の大きさを、床に設置した時に、起立部と前記下地壁面との間に配管等の器具設置用空間が形成されるように設定するとよい。
【０００９】
ところで本発明の防水床構造は、下地壁面で囲まれた空間の床面に防水床材を設置し、当該防水床材における周縁部の近傍に凹溝を形成し、前記下地壁面と防水床材との間に両者の隙間を覆う防水材を配置し、当該防水材の上端部を前記下地壁面とその表面に装着した壁仕上げ材との間に挟んで取り付け、当該防水材の下端部を前記防水床材の凹溝内へ挿入して取り付ける、という構造を採用してもよい。この場合、防水材の下端部を、防水床材の凹溝内に取り付ける手段としては、接着剤等の樹脂、パテ、ゴム、自己接着性の有る防水テープ等が考えられる。
【発明の効果】
【００１０】
本発明の請求項１に係る防水床構造は、下地壁面と防水床材との間の隙間を覆うように防水材を配置し、その上端部を下地壁面とその表面に装着した壁仕上げ材との間に挟んで取り付け、下端部を前記防水床材の内側領域に位置させたので、室内で使用した水や、下地壁面と壁仕上げ材との間で発生した水を、防水床材上へ導いて、防水床材の下方空間へ浸入するのを阻止できる。従って、防水床材の下方空間が多湿環境になったり、基礎等の床面が濡れたりするのが確実に防止される。また、下地壁面とその表面に装着する壁仕上げ材との間に隙間を形成しない構成を採用できるから、施工する浴室等の空間容積を大きく設定できる。さらに、防水材の下端部の長さを十分に確保しておけば、寸法の小さい防水床材を使用しても、下地壁面と防水床材との間の隙間を覆って防水機能を確保することが出来る。これは例えば、浴室等を施工しようとする部屋の搬入口の寸法関係で、搬入可能な防水床材の寸法が制限される場合に有利である。しかも本発明の構造は、寸法の小さい防水床材を使用しても、壁仕上げ材の位置を変更する必要がないから、構築される部屋の容積はほとんど縮小されない
【００１１】
本発明の請求項２に係る防水床構造によれば、防水材に防水床材へ向かう下り勾配を有する部分を形成し、防水材の下端部が防水床材の起立部の上端部よりも下方に位置するよう設定したので、防水材の表面の水を、防水床材上へ確実に導くことができる。
【００１２】
本発明の請求項３乃至５に記載の防水床構造によれば、防水床材の起立部に、防水材の下端側部分を重ね合わせる領域を設けたので、防水材下端側部分の取付状態が安定する。その結果、施工する浴室等を、堅固で経時変化の少ない構造にすることができる。また、重ね合わせ領域内であれば、防水機能を損なうことなく防水床材の配置を移動させることができるので、防水床材の位置調整が容易である。あるいは、防水材の下端側部分を重ね合わせることが可能な範囲内で、防水床材の寸法を変更することも可能であるから、使用する防水床材の寸法選択範囲が非常に広くなる。なお請求項４に記載の如く、防水床材の起立部に設けられる防水材下端側部分を重ね合わせる領域を、下地壁面へ向かって昇り勾配を有する傾斜面部とした場合は、防水材表面の水の排水効率が良くなる。また請求項５に記載の如く、防水床材の起立部に設けられる防水材の下端側部分を重ね合わせる領域を外方へ延びる水平面部とした場合は、防水材の防水床材による支持状態がより安定化すると共に、浴室等の空間容積が拡大する。
【００１３】
本発明の請求項６に記載の防水床構造によれば、防水床材の大きさを、床に設置した時に、起立部と下地壁面との間に器具設置用空間が形成されるように設定したので、浴室を施工する場合における給水管・給湯管等配管の取り回しが容易になる。また場合によっては、この器具設置用空間を、電気配線用に利用することも可能である。
【００１４】
本発明の請求項７に記載の防水床構造によれば、床面に設置した防水床材の周縁部の近傍に凹溝を形成し、防水材の下端部をこの凹溝内へ挿入して取り付けるようにしたので、凹溝の幅寸法内で、防水床材の位置を移動させることが可能である。また、防水材の下端部が防水床材と一体化するから、防水床材を移動させたり防水床材に位置ずれが生じたりした場合でも、防水材が防水床材から離脱することがない。
【発明を実施するための最良の形態】
【００１５】
（第１の実施形態）
図１に示すように、本発明は、周囲が躯体壁や壁下地材２などから成る下地壁面Ｗで囲まれた部屋内に、浴室Ｙやシャワー室等を構築する場合に適用される。本発明に係る防水床構造を施工するには、基礎１等から成る床面Ｆ上に防水パン等から成る防水床材１０を配置する。該防水床材１０は、平坦部１０ａと、その周縁部に形成した起立部１０ｂとから構成される。次に、下地壁面Ｗと防水床材１０との間の隙間を覆うように、金属板・合成樹脂板・合成樹脂シートなどから成る防水材５を配置し、上端部５ｂを下地壁面Ｗへ接着剤で取り付ける。そしてタイルパネル・金属パネル等の壁仕上げ材３を下地壁面Ｗの上に装着し、これと下地壁面Ｗとの間に、防水材５の上端部５ｂが挟まれるようにする。他方、下端部は、前記防水床材１０の内側領域に位置させる。
【００１６】
かかる構成により本発明の防水床構造は、室内で使用した水や、下地壁面Ｗと壁仕上げ材３との間で結露等により発生した水が、防水床材１０の下方空間へ浸入するのを確実に阻止する。従って、防水床材１０の下方空間が多湿環境になったり、基礎１等の床面が濡れたりするのを防止できる。
【００１７】
なお図示する如く、防水床材１０と下地壁面Ｗとの隙間寸法が比較的大きい場合は、防水材５に防水床材１０に向かって下り勾配を有する傾斜面部５ａを形成すると共に、下端に垂下部６を設けることにより、防水材５上の水を、防水床材１０上へ確実に導くことが出来る。また傾斜面部５ａの下方、すなわち防水床材１０の起立部１０ｂと下地壁面Ｗとの間に空間が形成されるので、この空間Ｓを、配管等の器具設置用空間として利用することが可能である。
【００１８】
ところで本発明は、下地壁面Ｗと壁仕上げ材３との間に隙間を設けない構造を採用するから、施工する浴室Ｙ等の空間容積を大きく設定できる。しかも、例えば部屋の搬入口が狭いために寸法の小さい防水床材しか使用できないときでも、壁仕上げ材の位置を変更する必要がないから、構築される部屋の容積はほとんど縮小されることがなく、且つ、防水機能が損なわれることがない。
【００１９】
図２は、前記実施形態の一部に変更を加えた例を示すものである。同図（Ａ）に示すように、防水材５の下端部が、防水床材１０に内側領域に達するのであれば、垂下部６（図１参照）は省略が可能である。また同図（Ｂ）の如く、防水床材１０の寸法が非常に大きい場合には、下地壁面Ｗとの間に配管等の設置用空間が形成されない態様が採用される。
【００２０】
（第２の実施形態）
図３に示す例は、防水床材１０の周縁部に形成される起立部１０ｂに、下地壁面Ｗへ向かって昇り勾配となる傾斜面部１０ｃを設け、この傾斜面部１０ｃに、防水材５の傾斜面部５ａを重ね合わせる構造を採用したものである。なお本例では、浴室Ｙを二階に施工する場合のように、躯体に固定したブラケット６により支持された床下地材７に、防水床材１０を設置する態様となっている。また、下地壁面Ｗと防水床材１０との間の隙間を覆う防水材５は、その上端部５ｂが下地壁面Ｗと壁仕上げ材３との間に挟まれて取り付けられている点は共通である。
【００２１】
本例の如く、防水材５の傾斜面部５ａを、防水床材１０の傾斜面部１０ｃ上に重ね合わせて取り付ける構成とすることにより、以下に述べるような利点が得られる。第一に、防水材５の荷重が防水床材１０によって支持されるから、取付状態が安定すると共に、両者を接着剤で固定する場合、接着面積を広く取れるので、堅固で経時変化に強い取付構造を構築できる。第二に、防水材５と防水床材１０との重ね合せ状態が維持される範囲内であれば、防水機能を損なうことなく、防水床材１０の配置を移動することが可能なので、防水床材１０の設置作業が容易になる。第三に、防水床材１０に傾斜面部１０ｃを設けたことにより、これを設置するだけで、下地壁面Ｗとの間に配管等の器具設置用空間Ｓが自動的に形成される。
【００２２】
なお防水床材１０に傾斜面部１０ｃを設けるに当たっては、図３の如く、起立部１０ｂの一部を傾斜面部１０ｃとするほか、図４に示す如く、起立部１０ｂ全体を、下地壁面Ｗへ向かって昇り勾配を有する傾斜面部とすることも可能である。
【００２３】
（第３の実施形態）
防水材５の下端側部分を防水床材１０に重ね合わせる場合、図５に示すように、防水床材１０の起立部１０ｂにおける上端部に水平部１０ｄを形成し、この上に防水材５の下端側に形成した水平部分５ｃを載置する構成も可能である。なお図５（Ａ）に示すように、防水材５の下端側部分５ｃの先に垂下部６を形成して、防水材５上に落ちた水を防水床材１０へ導き易くするのが好ましいが、同図（Ｂ）に示す如く、上記垂下部は６省略してもよい。
【００２４】
本実施形態は、防水材５の下端側部分５ｃを、防水床材１０の水平部１０ｄで支持するから、支持状態がきわめて安定する。また、防水材５及び防水床材１０に傾斜面部５ａ，１０ｃを形成する前記実施形態と比較して、水平状態で支持する本例は、部屋の空間容積が広くなる。しかも所望に応じ、防水床材１０によって支持される防水材５の水平部分を物品の載置台として利用する構成を採用可能である。
【００２５】
（第４の実施形態）
本発明に係る防水床構造は、図６に示すように、防水床材１０における周縁部近傍に凹溝Ｄを形成し、防水材５の下端部をこの凹溝Ｄ内に挿入し、接着剤等で固定するという構成も可能である。本例では、防水材５の下端側に水平部分５ｃを形成し、これを防水床材１０の平坦部１０ａにおける周縁部近傍に載置させると共に、防水材５の下端側部分５ｃの先に形成した垂下部６を上記凹溝Ｄ内へ挿入せしめたのち、同図（Ｂ）に示す如く、該垂下部６を接着剤Ｍ等で固定する。
【００２６】
かかる構成は、防水床材１０の凹溝Ｄの幅寸法内で、防水床材１０位置の移動が可能であるから、位置調整が容易になる。また、防水材５における下端側部分５ｃの垂下部６を凹溝Ｄに固定した後は、防水材５と防水床材１０とが一体化して、容易に離脱しない取付構造が得られる。
【実施例１】
【００２７】
図７は、本発明に係る防水床構造Ｋを浴室Ｙの床に適用した実施例を示すものである。基礎１上に防水床材１０が配置され、この防水床材１０上に嵩上げ材２０が載置され、この嵩上げ材２０の表面に接着剤３１等によりタイル等の仕上げ材３０が張り付けられている。
【００２８】
防水床材１０は、ＦＲＰ、プラスチック、金属等で製作され、主体となる平坦部１０ａの周囲に起立部１０ｂを一体形成したものである。平坦部１０ａの適所には、嵩上げ材２０の下面を支える支持突起１１、浴槽が据え置かれる浴槽設置部１２が設けられる。そして平坦部１０ａは、排水勾配を有するように傾斜面となされている。支持突起１１の高さ寸法は、浴槽設置部１２よりも上方に突出するように設定されている。起立部１０ｂの上端側には、図８に示すように、下地壁面Ｗへ向かって昇り勾配となる傾斜面部１０ｃが形成されている。
【００２９】
防水床材１０の下面には補強材１４と高さ調節具４０とが設けられる。高さ調節具４０は、例えば図８に示すように、防水床材１０の適所に埋設したナット４２へ螺合させたボルト４１で、防水床材１０の荷重を支持するものである。ボルト４１の螺合度合を変更することで、防水床材１０の基礎１からの距離を増減させ、高さ調節を行える。また本例では、ボルト４１の頭部を突出させる部分にボス部４３を設け、このボス部４３に、支持突起１１となる筒状部材を昇降可能に螺合させる構成を採用した。従って、本例の支持突起１１は、嵩上げ材２０の下面を支持する機能と同時に、高さ調節具４０のボルト４１頭部を隠すキャップ部材としての機能も併せ持っている。なお支持突起１１は、高さ調節の必要性があまりないならば、防水床材１０の表面に一体形成することも可能である。
【００３０】
嵩上げ材２０は、比較的曲げ強度の大きい補強板２１と、比重が比較的小さく断熱性に優れた発泡板２２とを接合したものが用いられる。補強板２１としては、セメントやモルタル等からなる芯材の表面層に、ガラス繊維ネットや合成樹脂メッシュシートを埋設して強化した板状材が挙げられる。発泡板２２は、ポリスチレン等から成る発泡プラスチック層の表面に、ガラス繊維ネットで補強したポリマーセメント層を形成してなるものが挙げられる。嵩上げ材２０の表面に設けられる仕上げ材３０は、タイルのほか、樹脂シートやセラミック板等が考えられる。仕上げ材３０は、美観性、摩擦、強度その他の表面特性を向上させる目的で配置されるが、施工状況によっては省略することも可能である。
【００３１】
本発明に係る防水床構造Ｋは次のようにして施工される。まず、浴室Ｙの基礎１に防水床材１０を設置する。このとき高さ調節具４０を操作して、防水床材１０の平坦部１０ａに、排水口１３へ向かう所定の排水勾配が付与されると同時に、浴槽設置部１２にあってはその表面が実質的に水平となるよう調節する。
【００３２】
防水床材１０を所定位置に据え置いた後、その起立部１０ｂと下地壁面Ｗとの隙間を覆うように防水材５を配置する。すなわち、防水材５の上端部５ｂを下地壁面Ｗに取着し、下端側に設けた傾斜面部５ａを、防水床材１０の傾斜面部１０ｃ上に重ね合わせて取り付ける。次いで、防水材５の上端部５ｂを間に挟むように、壁仕上げ材３を下地壁面Ｗに装着する。これにより、室内で使用した水や、壁仕上げ材３の裏側で結露によって生成した水が、防水床材１０の下方へ浸入するのを阻止して、基礎１や躯体壁２が濡れたり湿気たりするのを防止する。
【００３３】
なお、隣室となる脱衣室Ｘ等との境界に設置されるドア４の取付枠部材４ａの下側にも防水材５を配置して、ドア４の下側に浸入したり結露で生成した水が、防水床材１０の下方へ浸入するのを防止することが望ましい。
【００３４】
一方、防水床材１０においては、嵩上げ材２０を、支持突起１１を介して載置し固定する。最後に、上記嵩上げ材２０の表面に、接着剤等を用いて、タイル等の仕上げ材３０を張り付ければ、目的とする防水床構造が得られる。
【図面の簡単な説明】
【００３５】
【図１】本発明に係る防水床構造の第１の実施形態を示す側面断面図である。
【図２】図（Ａ）（Ｂ）はいずれも、本発明に係る防水床構造の第１の実施形態の異なる態様を要部のみ示す側面断面図である。
【図３】本発明に係る防水床構造の第２の実施形態を示す側面断面図である。
【図４】本発明に係る防水床構造の第２の実施形態の異なる態様を要部のみ示す側面断面図である。
【図５】図（Ａ）は、本発明に係る防水床構造の第３の実施形態の要部のみ示す側面断面図、図（Ｂ）は同実施形態の異なる態様の要部のみ示す側面断面図である。
【図６】図（Ａ）は、本発明に係る防水床構造の第４の実施形態の要部のみ示す側面断面図、図（Ｂ）は図（Ａ）の一部を拡大して示す側面断面図である。
【図７】本発明に係る防水床構造の一実施例を示す側面断面図である。
【図８】本発明に係る防水床構造の一実施例の要部を示す側面断面図である。
【符号の説明】
【００３６】
１…基礎  ２…壁下地材    ３…壁仕上げ材  ５…防水材  ５ａ…傾斜面部  ５ｂ…上端部  ６…垂下部    １０…防水床材  １０ａ…平坦部  １０ｂ…起立部  １０ｃ…傾斜面部  Ｓ…器具設置用空間  Ｗ…下地壁面  Ｆ…床面  Ｙ…浴室
【図１】
2005240335.tif 000003
【図２】
2005240335.tif 000004
【図３】
2005240335.tif 000005
【図４】
2005240335.tif 000006
【図５】
2005240335.tif 000007
【図６】
2005240335.tif 000008
【図７】
2005240335.tif 000009
【図８】
2005240335.tif 000010